(57)【要約】【課題】  サムターン回しによる不正な解錠を防止すると共に、子供達による誤った不慮の施錠、解錠を防止し、簡便で取り扱い易く、かつ安全な摘み用ロック付サムターンを提供する。【解決手段】  サムターン取付本体（３）に支持されるサムターン軸（４）の外周部にサムターン軸方向にバネ（６）を介して移動可能に装着された摘み（５）を有する。この摘みの移動により、サムターン軸（４）に設けた外歯（１９）と摘みに設けた内歯（２０）とを係合させ摘みの回転により施錠、解錠可能とし、その内外歯（１９、２０）の係合を解いた際に摘みを空転させて施錠、解錠不能とする。その摘みの移動路（２８）上にサムターン軸（４）と交叉するようにロック部材（７）を設け、このロック部材の作動によって摘みの移動を阻止し、かつ解除する。【選択図】        図１１
0003105519.tif 000002
【実用新案登録請求の範囲】
【請求項１】
ドアに装着されるサムターン取付本体と、このサムターン取付本体に支持されデッドボルトを作動するサムターンディスクのカム溝に係合するサムターン軸と、外周面に丸味を有しそのサムターン軸の外周部に配置した軸方向に移動可能に取り付けられる摘みと、上記サムターン軸と摘みを係合する手段と、摘みに軸方向に外力を作用させ摘みを移動させた際に摘みとサムターン軸が係合しその外力の作用を解いた際に摘みとサムターン軸の係合が外れ摘みが空回り可能となるよう付勢するバネを備え、そのサムターン軸に交叉しこの交叉方向に移動可能でありその移動によって摘みの軸方向の移動を阻止、解除するロック部材を設けたことを特徴とする摘みロック付サムターン。
【請求項２】
サムターン軸と摘みを係合する手段として、サムターン軸の外周部に外歯を設けると共に摘みの内周部に内歯を設けた請求項１に記載の摘みロック付サムターン。
【請求項３】
ロック部材は、平坦部とその端部に起立部を有する略断面Ｌ字状に形成されており、その起立部を摘みに当接させて摘みの軸方向への移動を阻止するようにした請求項１または２に記載の摘みロック付サムターン。
【請求項４】
ロック部材にクリック機構を設けた請求項１〜３のいずれかに記載の摘みロック付サムターン。
【請求項５】
クリック機構は、ロック部材にサムターン軸の両側に位置して弾力作用を施す線状体を備え、この線状体のほぼ中央部に内方に突出する突部を設けた請求項４に記載の摘みロック付サムターン。
【請求項６】
デッドボルトによる施錠、解錠状態を知り得るようサムターン軸の端面にマークを表示した請求項１〜５のいずれかに記載の摘みロック付サムターン。
【考案の詳細な説明】
【技術分野】
【０００１】
本考案は、錠装置のサムターンに関し、サムターンの摘みを不正に回動させて解錠することを防止すると共に、特に子供達による誤った解錠を防止する摘みロック付サムターンに関する。
【背景技術】
【０００２】
錠装置において、デッドボルトを作動して施錠、解錠するサムターンが知られている。  このサムターンは、その摘みを回すことによって施錠、解錠するものであるが、一般に摘みは摘み易いように翼板状に形成されている。そのために、近年、ドアの隙間やサムターンの近傍に開けた孔よりＬ字状に曲げた針金状のものを挿入し、その先端部の曲り部を翼板状の摘みに引掛けて回し解錠するという、所謂サムターン回しなる不正な行為が発生している。
【０００３】
そこで、その摘みの外周面を丸く形成し針金の先端部が引掛からないようにしたり、摘みをサムターン軸方向に移動可能に形成し摘みを押し込んだ際に施錠、解錠し、押し込まないときには空転して施錠、解錠ができないようにしたものが考えられている。
【０００４】
しかし、これらのものは確実にサムターン回しを防止することができないものであり、上記のように摘みを移動させるものでは、摘みをサムターン軸方向に移動すれば解錠が可能となるから必ずしも安全というものではなかった。
また、施錠、解錠の仕方を正確には知らない子供達がサムターンをいたずらして解錠してしまったり、更には母親がゴミを出しに行っている間に誤って施錠してしまい家に入れなくなるということが起きている。
【考案の開示】
【考案が解決しようとする課題】
【０００５】
本考案はこれらの問題点を解消し、更にこれを改善しようとするものであって、サムターン回しによる不正な解錠を防止すると共に、子供達による誤った不慮の施錠、解錠を防止し、簡便で取り扱い易く、かつ安全な摘み用ロック付サムターンを提供しようとするものである。
【課題を解決するための手段】
【０００６】
本考案は、サムターン取付本体に支持されるサムターン軸の外周部にサムターン軸方向に移動可能に装着された摘みを有し、この摘みの移動によって摘みとサムターン軸を係合させ施錠可能とする位置と、摘みとサムターン軸の係合を解き摘みをサムターン軸に対し空転させて解錠不能とする位置を形成し、摘みの移動路にサムターン軸と交叉するようにロック部材を設け、このロック部材の作動によって摘みの移動を阻止、解除するようにしたものである。
【０００７】
また、ロック部材にクリック機構を設け、ロック部材による摘みの移動の阻止、解除がスムーズに、かつ確実に行い得るようにしたものである。
【０００８】
更に、サムターン軸の端面にマークを表示しサムターンによる施錠、解錠状態を簡易に知ることができるようにしたものである。
【考案の効果】
【０００９】
本考案は、摘みの移動路上にロック部材が設けられているので、このロック部材の作動によって摘みとサムターン軸が係合しないように摘みの移動を阻止することができ、不正なサムターン回しや子供達による不慮の間違った解錠、施錠を簡便かつ確実に防止することができ、安全であり、その操作も簡易であり扱い易い。
【００１０】
また、摘みの外周面を丸くし、また摘みとサムターン軸が係合しない位置において摘みが空回りするようになっているので、一層不正なサムターン回しを防ぐことができる。
【００１１】
更に、ロック部材にクリック機構を設けているので、確実かつ円滑なクリック作用を得ることができる。
【００１２】
また、サムターン軸の外端面にマークを表示しているので、この表示によって施錠状態、解錠状態を簡便に知ることができ使い易い。
【考案を実施するための最良の形態】
【００１３】
サムターン（１）は、ドア（２）に装着されるサムターン取付本体（３）と、サムターン取付本体に支持されるサムターン軸（４）と、サムターン軸の外周部に軸方向に移動可能に配置されサムターン軸（４）と離脱可能に係合する摘み（５）と、上記サムターン取付本体（３）と摘み（５）の間に取り付けられこの摘みをサムターン軸の軸方向に付勢するバネ（６）と、摘み（５）の移動を阻止したり解除したりするロック部材（７）を備えている。
【００１４】
これらの部材は、下記のような手順をもって組み立てることができる。
先ず、摘み（５）の挿通孔（８）にサムターン軸（４）を通し、サムターン軸端部の係止部（９）を摘みの係止穴（１０）に挿入する。
【００１５】
次に、サムターン取付本体（３）を取り出し、その座部（１１）より延出する筒状の支持部（１２）に交叉するように形成した溝（４７）にロック部材（７）を通す。この状態で上記座部の支持部（１２）端部に形成した支持段部（１３）にバネ（６）の一端を挿入しバネの他端側を上記摘み（５）の支持溝（１４）に挿入する。
【００１６】
このように座部（１１）と摘み（５）の間にバネ（６）を挿入した状態で、このバネ圧に抗して、上記サムターン軸（４）の軸部（１５）をロック部材（７）に形成した長溝（１６）及び座部（１１）に形成した挿通孔（１７）に通し、その挿通孔の裏側においてサムターン軸（４）に止め輪（１８）を装着してサムターン軸（４）の軸方向の移動を規制する。これによって上記各部材は、連結された状態を形成する（図２、３、１１、１２）。
【００１７】
この状態では、摘み（５）は、バネ（６）の付勢によりサムターン軸の係止部（９）に押し付けられているが、そのバネに抗して座部（１１）側へ移動可能となっている。
【００１８】
なお、上記サムターン軸（４）の外周部には外歯（１９）が形成されていると共に、摘み（５）の内周部には上記外歯に係合可能な内歯（２０）が形成されている。
【００１９】
この外歯（１９）と内歯（２０）が形成されている位置関係は、図１１及び図１２に示すように、摘み（５）に外力が作用しないときは、上記外歯（１９）と内歯（２０）が係合しない状態となり（図１１）、また摘みを手で摘みバネ（６）に抗しながら座部（１１）側へ移動するように外力を作用させと、上記外歯（１９）と内歯（２０）が係合しサムターン軸（４）と摘み（５）が一体的に結合した状態となる（図１２）。
【００２０】
なお、このサムターン（１）をドア（２）に取り付けた状態（取り付け方法は後述する）では、サムターン軸（４）の軸端部に設けられるカム軸（２１）（図１、１０）は、ドア（２）に内装される箱錠（２２）のサムターンディスク（２３）（図１、９）のカム溝（２４）に係合しているので、上記図１２に示す状態で摘み（５）を回せばこれに伴ってサムターン軸（４）が回転し、そのサムターンディスク（２３）との運動によりデッドボルト（２５）を突出させたり引込めたりして施錠、解錠することができる。
【００２１】
ここで、摘み（５）より手を離して外力の作用を解くと、摘みは図１１に示すようにバネ（６）圧によって元の位置に戻り、サムターン軸（４）の外歯（１９）と、摘み（５）の内歯（２０）の係合が外れ、摘み（５）はフリーの状態となり、摘みを回しても空転状態となるからサムターン軸（４）を回すことができず、従ってこの状態では施錠、解錠をすることができない。
【００２２】
このように上記摘み（５）は空転し、又摘みの外周面には図示のように丸味が付されているので、摘みを回転させてサムターン（１）を回しをするということは難しい。
【００２３】
そして、上記サムターン取付本体（３）の支持部（１２）に支持されるロック部材（７）は、図８に示すように平坦部（２６）と、その端部に形成した起立部（２７）を有し、略断面Ｌ字状に形成されているもので、このロック部材を移動して図４及び図６に示すように起立部（２７）を摘みの移動路（２８）（図２、３）上に位置させると、摘み（５）は、ロック状態となりその端部が起立部（２７）に当接してサムターン軸方向への移動ができなくなるので、摘みの回転によって施錠、解錠することができず、従ってこれにより不正あるいは不慮の施錠、解錠を確実に防止することができる。
【００２４】
ここで、ロック部材（７）を移動して図５及び図７に示す位置にすると、ロック部材の起立部（２７）が摘みの移動路上外へ移動し、摘み（５）はアンロック状態となりサムターン軸の軸方向へ移動することができるので施錠、解錠ができるようになる。
【００２５】
なお、上記ロック部材（７）には、図８に示すようにクリック機構（２９）が設けられている。
この場合、ロック部材（７）はプラスチック材で一体に形成されており、その長溝（１６）（ほぼサムターン軸の軸径を有する）の両側に細長溝（３０）を設けて線状体（３１）を形成し、この線状体のほぼ中央部に内方に突出する突部（３２）が設けられているので、この線状体の弾性作用と上記突部（３２）によってサムターン軸の軸部（１５）に対しクリック作用をなし円滑で確実なロック部材（７）の移動を行うことができる。
【００２６】
なお、このクリック機構（２９）はその他の手段を用いることができ、例えば上記長溝（１６）の両側にピアノ線を設けたり、ボールとバネを用いたりすることができる。
【００２７】
上記サムターン軸（４）の係止部（９）の端面には、サムターン軸を回動した際に施錠あるいは解錠状態にあるかを認識できるようにマーク（３３）が表示されている。
このマークの表示は、サムターン軸の係止部（９）の表面に凹凸状に形成してもよく、又その表面に印刷したり着色したり、あるいはシール等に表示したマークをその係止部（９）の表面に貼着したり、その他適宜の方法で用いて表示することができる。
【００２８】
上記サムターン（１）は、図１に示すように、箱錠（２２）のサムターンディスク（２３）の表面部に挿入孔（４９）を通してアダプター（３４）を挿入し、フロント（３５）を外した状態でこのフロント側よりピン（３６）をアダプターの取付部（４６）に形成した取付孔（３７）に挿入して固定し、このアダプター（３４）に取付板（３８）をネジ（３９）等で止め、この取付板に形成した孔（４０）にサムターン取付本体（３）の座部（１１）に形成した突起（４１）を挿入して位置決めし、そのサムターン取付本体（３）の座部（１１）を取付板（３８）にネジ（４８）等で止めるようにしている。なお、この場合、サムターン軸（４）のカム軸（２１）部は、取付板（３８）の挿通孔（５０）及びアダプター（３４）の挿通孔（５１）通ってサムターンディスク（２３）のカム溝（２４）係合している。
【００２９】
上記実施例では、ドア（２）にサムターン（１）を装着した際に、サムターン軸（４）のカム軸（２１）が箱錠（２２）内のサムターンディスク（２３）のカム溝（２４）と定位置で係合できるようにし、サムターン軸の全体の軸部（１５）の長さを調節するようにしている。
即ち、図１及び図１１〜図１３に示すように、サムターン軸の軸部（１５）の取付端部に係合溝（４２）を形成し、この係合溝（４２）にカム軸（２１）に形成した係合突部（４３）を挿入し、サムターン軸の軸部（１５）の取付端部外周に設けたスプリングワイヤ等で形成されるリング（４４）にカム軸（２１）の係合突部（４３）に形成した溝（４５）（図示の場合は等間隔で３つの溝が形成されているがその他の個数でもよい）を係合させてサムターン軸の軸長を調節している。
【００３０】
上記実施例では、サムターン軸（４）と摘み（５）の係合を内歯（２０）と外歯（１９）によって行っているが、この係合手段は、その他例えば、凹凸溝による係合したり、クラッチ等による係合等を用いたりすることができる。
【００３１】
また、上記摘み（５）を付勢するバネ（６）は、この例では圧縮バネを用いているが、その他引張バネを用いたりその他の構造にしてもよい。
【図面の簡単な説明】
【００３２】
【図１】本考案の実施例を示す分解斜面図である。
【図２】サムターンの拡大左側面図である。
【図３】サムターンの拡大右側面図である。
【図４】ロック部材で摘みの移動をロックした状態を示す拡大平面図である。
【図５】図４において、摘みの移動のロック状態を解除した場合を示す拡大平面図である。
【図６】ロック部材で摘みの移動をロックした状態を示す拡大正面図である。
【図７】図６において、摘みの移動のロック状態を解除した場合を示す拡大平面図である。
【図８】ロック部材の拡大平面図である。
【図９】サムターンディスクの一部拡大正面図である。
【図１０】サムターン軸のカム軸の拡大正面図である。
【図１１】サムターン軸と摘みが係合していない状態を示すサムターンの拡大一部断面図である。
【図１２】サムターン軸と摘みが係合している状態を示すサムターンの拡大一部断面図である。
【図１３】サムターン軸のカム軸部を示す拡大平面図である。
【符号の説明】
【００３３】
１  サムターン    ３  サムターン取付本体    ４  サムターン軸    ５  摘み
６  バネ    ７  ロック部材    １１  座部    １９  外歯    ２０  内歯
２１  カム軸    ２４  カム溝    ２５  デッドボルト    ２６  平坦部
２７    起立部    ２８  移動路域    ２９  クリック機構    ３３  マーク
【図１】
0003105519.tif 000003
【図２】
0003105519.tif 000004
【図３】
0003105519.tif 000005
【図４】
0003105519.tif 000006
【図５】
0003105519.tif 000007
【図６】
0003105519.tif 000008
【図７】
0003105519.tif 000009
【図８】
0003105519.tif 000010
【図９】
0003105519.tif 000011
【図１０】
0003105519.tif 000012
【図１１】
0003105519.tif 000013
【図１２】
0003105519.tif 000014
【図１３】
0003105519.tif 000015